(57)【要約】【課題】本発明は、簡単な構造で作業中であっても安全な分電盤を提供することを目的としている。【解決手段】本発明に係る分電盤１の構造は、キャビネット２にはキャビネット側蝶番４を、配線覆い３には配線覆い側蝶番５を設け、キャビネット側蝶番４には配線覆い側蝶番５を受ける受け部８を形成し、受け部８の上端部にテーパー部９を設けると共に、キャビネット側蝶番４の下部にはテーパー部９に誘導されるガイド用突起１０を設けることを特徴とする。【選択図】図１
2006238521.tif 000002
【特許請求の範囲】
【請求項１】
キャビネットにブレーカ等の電気機器を配列し、前面を前記ブレーカの操作ハンドルを突出して施蓋する配線覆いを回動可能に蝶着して成る分電盤の配線覆い蝶番構造であって、前記キャビネットにはキャビネット側蝶番を、配線覆いには配線覆い側蝶番を設け、前記キャビネット側蝶番には前記配線覆い側蝶番を受ける受け部を形成し、該受け部の上端部にテーパー部を設けると共に、キャビネット側蝶番の下部には前記テーパー部に誘導されるガイド用突起を設けることを特徴とする分電盤の配線覆い蝶番構造。
【発明の詳細な説明】
【技術分野】
【０００１】
本発明は、キャビネットにブレーカ等の電気機器を配列し、前面をブレーカの操作ハンドルを突出して施蓋する配線覆いを回動可能に蝶着して成る分電盤の配線覆い蝶番構造に関するものである。
【背景技術】
【０００２】
分電盤は、キャビネットに電気機器を配列し、前面を電気機器の操作ハンドルを突出可能に突出孔を設けた配線覆いで被覆して、扉体で施蓋して構成される。配線覆いを回動動作により開閉可能にする場合には、配線覆いを取り付けるためにキャビネットの背面に覆い立てを立設させ、覆い立てにキャビネット側蝶番を取り付ける。一方、配線覆いにも配線覆い側蝶番を取り付ける。キャビネット側蝶番には配線覆い側蝶番の挿入部が挿入可能である受け部を形成し、受け部に挿入部を挿入することで配線覆いをキャビネットに取り付けることができる。
【０００３】
配線覆いをキャビネットに蝶着することで、回動動作により配線覆いは開閉可能である。
【非特許文献１】２００３カワムラカタログ電設資材編ＮＯ．３４  平成１５年５月１日改訂
【発明の開示】
【発明が解決しようとする課題】
【０００４】
しかしながら、上記技術によれば、配線覆いを開放し、キャビネット内部に配置した電気機器が通電された状態で、内部機器を露出させ、施工を行っている場合、誤って導電部に触れ感電事故を起こす虞があった。また作業中に塵埃等が進入し短絡事故等を起こす虞があった。
【課題を解決するための手段】
【０００５】
そこで本発明は、簡単な構造で安全な分電盤を提供することを目的とし、その構造は、キャビネットにはキャビネット側蝶番を、配線覆いには配線覆い側蝶番を設け、キャビネット側蝶番には配線覆い側蝶番を受ける受け部を形成し、受け部の上端部にテーパー部を設けると共に、キャビネット側蝶番の下部にはテーパー部に誘導されるガイド用突起を設けることを特徴とする。
【発明の効果】
【０００６】
本発明に係る分電盤の配線覆い蝶番構造は、キャビネットにはキャビネット側蝶番を、配線覆いには配線覆い側蝶番を設け、キャビネット側蝶番には配線覆い側蝶番を受ける受け部を形成し、受け部の上端部にテーパー部を設けると共に、キャビネット側蝶番の下部にはテーパー部に誘導されるガイド用突起を設けるため、配線覆いは作業のため開放しても、自重で閉じるため分電盤への異物の進入や誤って触れてしまったりする事故を防ぐことができ、分電盤の安全性を高めることができる。また、配線覆いのロックを忘れてしまったり、破損してロックできない場合にも、配線覆いが開いてしまうことがないので安全な状態を保持することができる。
【発明を実施するための最良の形態】
【０００７】
本発明に係る分電盤の配線覆い蝶番構造は、簡単な構造で安全性を向上させることを目的とし、配線覆いは蝶番にテーパー部を設け配線覆いの自重で閉じるようにし、部品点数を増やすことなく実現した。
【実施例１】
【０００８】
本発明に係る分電盤の配線覆い蝶番構造を図１に添付図面に基づいて説明する。
【０００９】
分電盤１はキャビネット２にブレーカ等の電気機器を配列し、キャビネット２の前面は電気機器の操作ハンドルを突出させる突出孔を設けた配線覆い３で被覆し、電線等の保護し、さらに扉体で施蓋して構成される。配線覆い３はキャビネット２に蝶着され、回動動作により開閉可能である。
【００１０】
キャビネット２にはキャビネット側蝶番４を、配線覆い３には配線覆い側蝶番５を設け、キャビネット側蝶番４と配線覆い側蝶番５とを組み合わせて配線覆い３を回動動作により開閉可能に、キャビネット２に取り付ける。図１においては、キャビネット側蝶番４、配線覆い側蝶番５をそれぞれ上下二ヶ所に設け、配線覆い側蝶番５は蝶番ピン６を形成し、上部キャビネット側蝶番４ａは下方より蝶番ピン６が挿入可能である挿入孔が設けられ、下方キャビネット側蝶番４ｂは上方より蝶番ピン６が挿入可能である挿入孔７が設けられると共に、配線覆い側蝶番５を支持するように受け部８が設けられる。
【００１１】
受け部８の上端部にはテーパー部９を形成する。また、配線覆い側蝶番５の蝶番ピン６近傍にはガイド用突起１０を設ける。テーパー部９は配線覆い３を開いた状態のときにガイド用突起１０がくるところに最高点Ａを、配線覆い３を閉じた状態のときにガイド用突起１０がくるところに最低点Ｂを持たせて形成される。配線覆い３は開いた状態で配線覆い３の支持を外したとき、テーパー部９により誘導され、テーパー部９の最低点Ｂまで蝶番ピン６の回転軸を中心とした回転移動により配線覆い３の自重で移動し、閉じた状態となる。
【００１２】
作業のため配線覆いを開けた状態で、作業者がその場を離れたり、分電盤に背を向けて作業をしているときには、分電盤の導電部が露出されているため、塵埃等の異物が進入し短絡事故等の発生を抑える。また、作業者が部品や工具を取るために分電盤に背を向けて作業しているときに誤って充電部に触れてしまったり、短絡させてしまったりすることがなくなるという点から安全な分電盤を提供する。
【００１３】
配線覆いを閉じたときにロックをし忘れていたり、また、ロックが破損しロックができない場合にも、テーパー部が形成されていることにより配線覆いが自然に開いてしまうことはないので、配線覆いがとじた状態で保持され安全である。
【００１４】
本発明に係る分電盤の配線覆い蝶番構造は、上記形状に限定されるものでなく、本発明の趣旨を逸脱しない範囲において適宜変更可能である。
【産業上の利用可能性】
【００１５】
分電盤の配線覆いの蝶番はテーパー部を設けて、配線覆いの自重で閉じた状態になるため、作業中に配線覆いが開放された状態で放置されることがなく、分電盤の配線作業等に時間が多くかかるような場合にも安全に分電盤を設置することができる。
【図面の簡単な説明】
【００１６】
【図１】本発明に係る分電盤の配線覆い蝶番構造を示す説明図である。（実施例１）
【図２】図１における分電盤の配線覆い蝶番構造の一部拡大図である。（実施例１）
【図３】図１における蝶番ピンの拡大図である。（実施例１）
【図４】図１における蝶番ピンの拡大図である。（実施例１）
【符号の説明】
【００１７】
１    分電盤
２    キャビネット
３    配線覆い
４    キャビネット側蝶番
４ａ  上方キャビネット側蝶番
４ｂ  下方キャビネット側蝶番
５    配線側蝶番
６    蝶番ピン
７    挿通孔
８    受け部
９    テーパー部
１０  ガイド用突起
【図１】
2006238521.tif 000003
【図２】
2006238521.tif 000004
【図３】
2006238521.tif 000005
【図４】
2006238521.tif 000006